【手続補正書】
【提出日】平成19年9月28日(2007.9.28)
【手続補正１】
【補正対象書類名】明細書
【補正対象項目名】発明の名称
【補正方法】変更
【補正の内容】
【発明の名称】無線通信装置及びその制御方法、並びに記憶媒体
【手続補正２】
【補正対象書類名】明細書
【補正対象項目名】特許請求の範囲
【補正方法】変更
【補正の内容】
【特許請求の範囲】
【請求項１】  データ入力装置と通信可能な無線通信装置であって、
無線通信を行う通信相手を登録するための登録モードへ移行する移行手段と、
前記データ入力装置から、前記登録モードへ移行するためのパラメータを受信する受信手段と、
前記受信手段による前記パラメータの受信に応じて、前記移行手段により前記登録モードへ移行し、前記登録モードで動作中の他の無線通信装置を通信相手として登録する登録手段と、
を有することを特徴とする無線通信装置。
【請求項２】  前記パラメータは、当該無線通信装置又は前記他の無線通信装置の識別情報、又はパスワードを含むことを特徴とする請求項１記載の無線通信装置。
【請求項３】  無線通信装置であって、
無線通信を行う通信相手を登録するための登録モードへ移行する移行手段と、
前記登録モードへ移行する時間に関する情報を入力するための入力手段と、
前記入力手段により入力された情報に基づいて、前記移行手段により前記登録モードへ移行し、前記登録モードで動作中の他の無線通信装置を通信相手として登録する登録手段と、
を有することを特徴とする無線通信装置。
【請求項４】  前記入力手段により入力される情報は、前記登録モードへ移行する時刻、又は、前記登録モードへ移行するまでの経過時間を含むことを特徴とする請求項３記載の無線通信装置。
【請求項５】  無線通信装置であって、
第１の無線通信方式による無線通信を行う通信相手を登録するための登録モードへ移行する移行手段と、
第２の無線通信方式による無線通信を用いて送信された、前記登録モードへの移行指示を受信する受信手段と、
前記受信手段による前記移行指示の受信に応じて、前記移行手段により前記登録モードに移行し、前記登録モードで動作中の他の無線通信装置を通信相手として登録する登録手段と、
を有することを特徴とする無線通信装置。
【請求項６】  前記第２の無線通信方式は、微弱電波による無線通信を含むことを特徴とする請求項５記載の無線通信装置。
【請求項７】  データ入力装置と通信可能な無線通信装置の制御方法であって、
無線通信を行う通信相手を登録するための登録モードへ移行する移行工程と、
前記データ入力装置から、前記登録モードへ移行するためのパラメータを受信する受信工程と、
前記受信工程における前記パラメータの受信に応じて、前記移行工程において前記登録モードへ移行し、前記登録モードで動作中の他の無線通信装置を通信相手として登録する登録工程と、
を有することを特徴とする無線通信装置の制御方法。
【請求項８】  無線通信装置の制御方法であって、
無線通信を行う通信相手を登録するための登録モードへ移行する移行工程と、
前記登録モードへ移行する時間に関する情報を入力するための入力工程と、
前記入力工程において入力された情報に基づいて、前記移行工程において前記登録モードへ移行し、前記登録モードで動作中の他の無線通信装置を通信相手として登録する登録工程と、
を有することを特徴とする無線通信装置の制御方法。
【請求項９】  無線通信装置の制御方法であって、
第１の無線通信方式による無線通信を行う通信相手を登録するための登録モードへ移行する移行工程と、
第２の無線通信方式による無線通信を用いて送信された、前記登録モードへの移行指示を受信する受信工程と、
前記受信工程における前記移行指示の受信に応じて、前記移行工程において前記登録モードに移行し、前記登録モードで動作中の他の無線通信装置を通信相手として登録する登録工程と、
を有することを特徴とする無線通信装置の制御方法。
【請求項１０】  請求項７〜９のいずれか１項に記載の無線通信装置の制御方法をコンピュータに実行させるためのプログラムを格納したことを特徴とするコンピュータで読み取り可能な記憶媒体。
【手続補正３】
【補正対象書類名】明細書
【補正対象項目名】０００１
【補正方法】変更
【補正の内容】
【０００１】
【発明の属する技術の分野】
本発明は、無線通信装置及びその制御方法、並びに記憶媒体に関する。
【手続補正４】
【補正対象書類名】明細書
【補正対象項目名】０００５
【補正方法】変更
【補正の内容】
【０００５】
本発明は、無線通信を行う通信相手を登録する際の課題を解決することを目的とする。
【手続補正５】
【補正対象書類名】明細書
【補正対象項目名】０００６
【補正方法】変更
【補正の内容】
【０００６】
【課題を解決するための手段】
上記目的を達成するために本発明の無線通信装置は、データ入力装置と通信可能な無線通信装置であって、無線通信を行う通信相手を登録するための登録モードへ移行する移行手段と、前記データ入力装置から、前記登録モードへ移行するためのパラメータを受信する受信手段と、前記受信手段による前記パラメータの受信に応じて、前記移行手段により前記登録モードへ移行し、前記登録モードで動作中の他の無線通信装置を通信相手として登録する登録手段と、を有することを特徴とする。
【手続補正６】
【補正対象書類名】明細書
【補正対象項目名】０００７
【補正方法】変更
【補正の内容】
【０００７】
また、本発明の無線通信装置は、無線通信装置であって、無線通信を行う通信相手を登録するための登録モードへ移行する移行手段と、前記登録モードへ移行する時間に関する情報を入力するための入力手段と、前記入力手段により入力された情報に基づいて、前記移行手段により前記登録モードへ移行し、前記登録モードで動作中の他の無線通信装置を通信相手として登録する登録手段と、を有することを特徴とする。
【手続補正７】
【補正対象書類名】明細書
【補正対象項目名】０００８
【補正方法】変更
【補正の内容】
【０００８】
また、本発明の無線通信装置は、無線通信装置であって、第１の無線通信方式による無線通信を行う通信相手を登録するための登録モードへ移行する移行手段と、第２の無線通信方式による無線通信を用いて送信された、前記登録モードへの移行指示を受信する受信手段と、前記受信手段による前記移行指示の受信に応じて、前記移行手段により前記登録モードに移行し、前記登録モードで動作中の他の無線通信装置を通信相手として登録する登録手段と、を有することを特徴とする。
【手続補正８】
【補正対象書類名】明細書
【補正対象項目名】０００９
【補正方法】変更
【補正の内容】
【０００９】
また、本発明の無線通信装置の制御方法は、データ入力装置と通信可能な無線通信装置の制御方法であって、無線通信を行う通信相手を登録するための登録モードへ移行する移行工程と、前記データ入力装置から、前記登録モードへ移行するためのパラメータを受信する受信工程と、前記受信工程における前記パラメータの受信に応じて、前記移行工程において前記登録モードへ移行し、前記登録モードで動作中の他の無線通信装置を通信相手として登録する登録工程と、を有することを特徴とする。
【手続補正９】
【補正対象書類名】明細書
【補正対象項目名】００１０
【補正方法】変更
【補正の内容】
【００１０】
また、本発明の無線通信装置の制御方法は、無線通信装置の制御方法であって、無線通信を行う通信相手を登録するための登録モードへ移行する移行工程と、前記登録モードへ移行する時間に関する情報を入力するための入力工程と、前記入力工程において入力された情報に基づいて、前記移行工程において前記登録モードへ移行し、前記登録モードで動作中の他の無線通信装置を通信相手として登録する登録工程と、を有することを特徴とする。
【手続補正１０】
【補正対象書類名】明細書
【補正対象項目名】００１１
【補正方法】変更
【補正の内容】
【００１１】
また、本発明の無線通信装置の制御方法は、無線通信装置の制御方法であって、第１の無線通信方式による無線通信を行う通信相手を登録するための登録モードへ移行する移行工程と、第２の無線通信方式による無線通信を用いて送信された、前記登録モードへの移行指示を受信する受信工程と、前記受信工程における前記移行指示の受信に応じて、前記移行工程において前記登録モードに移行し、前記登録モードで動作中の他の無線通信装置を通信相手として登録する登録工程と、を有することを特徴とする。
【手続補正１１】
【補正対象書類名】明細書
【補正対象項目名】００１２
【補正方法】変更
【補正の内容】
【００１２】
また、本発明の記憶媒体は、請求項７〜９のいずれか１項に記載の無線通信装置の制御方法をコンピュータに実行させるためのプログラムを格納したことを特徴とするコンピュータで読み取り可能な記憶媒体である。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００２４
【補正方法】変更
【補正の内容】
【００２４】
子機側データ入力装置１０３は、制御部２０３に表示部２０１、入力部２０２、記憶部２０４、タイマ２０５及び機器接続インターフェイス部２０６が接続されて構成される。表示部２０１は各種情報を表示する。入力部２０２は、キー等で構成され、各種データを入力するのに用いられる。制御部２０３は、子機側データ入力装置１０３全体を制御する。記憶部２０４は、ＲＡＭやハードディスク等で構成され、入力されたパラメータ等のデータを記憶する。タイマ２０５は時刻をカウント（計時）し、その情報を制御部２０３に伝える。機器接続インターフェイス部２０６は、無線装置１０２と接続し、子機登録データ等を無線装置１０２との間でやり取りする。なお、親機側データ入力装置１０６では、機器接続インターフェイス部２０６は無線装置１０４と接続する。
【手続補正１８】
【補正対象書類名】明細書
【補正対象項目名】００５６
【補正方法】変更
【補正の内容】
【００５６】
図６は、本実施の形態における親機側データ入力装置１０６の構成を示すブロック図である。なお、子機側データ入力装置１０３は親機側データ入力装置１０６と同様に構成される。
【手続補正１９】
【補正対象書類名】明細書
【補正対象項目名】００５７
【補正方法】変更
【補正の内容】
【００５７】
無線通信部２０７は、制御部２０３等に接続され、親機無線装置１０４側との間で無線通信を行う。無線通信部２０７の構成は各種考えられるが、一例として微弱無線を用いることができる。微弱無線を用いた場合は、他との混線が考えられるので、ＡＭ変調等のアナログ変調で信号レベルの検出で判定すると誤動作発生の可能性が高くなる。従って、望ましくはＦＳＫ変調（周波数偏移変調）等のデジタル変調方式を用い、特定のパターンを繰り返して送信し、受信側でこのパターンを検出することで、子機登録開始のきっかけとすることができる。
【手続補正２０】
【補正対象書類名】明細書
【補正対象項目名】００７１
【補正方法】変更
【補正の内容】
【００７１】
（第６の実施の形態）
本実施の形態では、第５の実施の形態における子機登録開始信号の受信の代わりに、テレビ放送やラジオ放送の時報を契機として子機登録モードに移行するようにした点が第５の実施の形態と異なる。本実施の形態では、テレビ放送またはラジオ放送を受信する受信部と、受信した放送から毎時発される時報を検出する時報検出部とをさらに備える（いずれも図示せず）。
【手続補正２１】
【補正対象書類名】明細書
【補正対象項目名】００８０
【補正方法】変更
【補正の内容】
【００８０】
【発明の効果】
以上説明したように、本発明によれば、無線通信を行う通信相手を登録するための登録モードへ適応的に移行し、通信相手を登録することができる。従って、例えば、二台の無線通信装置の距離が離れていることにより、ユーザがそれらを同時に操作することができない場合であっても、登録モードへ移行するタイミングを合わせることができる。
【手続補正２２】
【補正対象書類名】明細書
【補正対象項目名】００８１
【補正方法】削除
【補正の内容】
【手続補正２３】
【補正対象書類名】明細書
【補正対象項目名】００８２
【補正方法】削除
【補正の内容】
【手続補正２４】
【補正対象書類名】明細書
【補正対象項目名】００８３
【補正方法】削除
【補正の内容】
【手続補正２５】
【補正対象書類名】明細書
【補正対象項目名】００８４
【補正方法】削除
【補正の内容】
【手続補正２６】
【補正対象書類名】明細書
【補正対象項目名】符号の説明
【補正方法】変更
【補正の内容】
【符号の説明】
１０１  事務機
１０２  無線装置
１０３  子機側データ入力装置
１０４  無線装置
１０５  公衆網
１０６  親機側データ入力装置
２０１  表示部
２０２  入力部
２０３  制御部
２０４  記憶部
２０５  タイマ
２０６  機器接続インターフェイス部
２０７  無線通信部